(57)【要約】【目的】目詰まりが無く、懸濁物質を含む水や養液でも利用できる潅水方法による植物栽培方法を提供する。【構成】圧縮空気を利用して養液タンクｗに満たされた水、養液等液体を植物に潅水し、植物を栽培する方法であって、（１）下方に養液の流入口ｉを有する上部密閉容器ｃ、（２）上部密閉容器ｃの上部隔壁ｄに下端が隔壁ｄのやや下方の位置及び上端が養液タンクｗの液面上の位置に開口しほぼ鉛直に設けられた噴水管ｐ、及び（３）密閉容器ｃ内上方に気体を圧入するための通気口ｋ、よりなる潅水器ｔの流入口ｉと水、養液等液体が満たされた養液タンクｗを連通し、上部密閉容器ｃ内上方に気相部ｇを形成し、気相部ｇ内に気体を圧入し、液体の固体に対する付着力及び表面張力を利用して、間欠的かつ一気に気体を噴水管ｐ内に溢流させ、噴水管ｐ内に気体層を形成せしめ、この気体層の上昇によって養液タンクｗ液面より上方に噴水させるとともに、この噴水を植物の根圏に導き植物を栽培する方法、に構成した。【選択図】図１
2007000135.tif 000002
【特許請求の範囲】
【請求項１】
圧縮空気を利用して養液タンクｗに満たされた水、養液等液体を植物に潅水し、植物を栽培する方法であって、（１）下方に養液の流入口ｉを有する上部密閉容器ｃ、（２）上部密閉容器ｃの上部隔壁ｄに下端が隔壁ｄのやや下方の位置及び上端が養液タンクｗの液面上の位置に開口しほぼ鉛直に設けられた噴水管ｐ、及び（３）密閉容器ｃ内上方に気体を圧入するための通気口ｋ、よりなる潅水器ｔの流入口ｉと水、養液等液体が満たされた養液タンクｗを連通し、上部密閉容器ｃ内上方に気相部ｇを形成し、気相部ｇ内に気体を圧入し、液体の固体に対する付着力及び表面張力を利用して、間欠的かつ一気に気体を噴水管ｐ内に溢流させ、噴水管ｐ内に気体層を形成せしめ、この気体層の上昇によって養液タンクｗ液面より上方に噴水させるとともに、この噴水を培養土ｊに定植された植物ｈの根圏上の培養土ｊに導き、植物ｈを栽培することを特徴とする気体を利用した潅水による植物栽培方法。
【請求項２】
圧縮空気を利用して養液タンクｗに満たされた水、養液等液体を植物に潅水し、植物を栽培する方法であって、（１）下方に養液の流入口ｉを有する上部密閉容器ｃ、（２）上部密閉容器ｃの上部隔壁ｄに、下端が隔壁ｄのやや下方の位置及び上端が養液タンクｗの液面上の位置に開口し、ほぼ鉛直に設けられた噴水管ｐ、及び（３）密閉容器ｃ内上方に気体を圧入するための通気口ｋ、よりなる複数の潅水器ｔの流入口ｉと養液タンクｗ内の養液を植物に送るため圃場に配設された送液管ｙを連通し、上部密閉容器ｃ内上方に気相部ｇを形成し、気相部ｇ内に気体を圧入し、液体の固体に対する付着力及び表面張力を利用して、間欠的かつ一気に気体を噴水管ｐ内に溢流させ、噴水管ｐ内に気体層を形成せしめ、この気体層の上昇によって養液タンクｗ液面より上方に噴水させるとともに、この噴水を培養土ｊに定植された植物ｈの根圏上の培養土ｊに導き、植物ｈを栽培することを特徴とする気体を利用した潅水による植物栽培方法。
【請求項３】
前記送液管ｙの下流端の養液を養液タンクｗに送り、養液を循環流動させることを特徴とする請求項２記載の気体を利用した潅水による植物栽培方法。
【請求項４】
圧縮空気を利用して養液タンクｗに満たされた水、養液等液体を植物に潅水し、植物を栽培する方法であって、（１）下方に養液の流入口ｉを有する上部密閉容器ｃ、（２）上部密閉容器ｃの上部隔壁ｄに下端が隔壁ｄのやや下方の位置及び上端が養液タンクｗの液面上の位置に開口しほぼ鉛直に設けられた噴水管ｐ、及び（３）密閉容器ｃ内上方に気体を圧入するための通気口ｋ、よりなる潅水器ｔの流入口ｉと水、養液等液体が満たされた養液タンクｗを連通し、上部密閉容器ｃ内上方に気相部ｇを形成し、気相部ｇ内に気体を圧入し、液体の固体に対する付着力及び表面張力を利用して、間欠的かつ一気に気体を噴水管ｐ内に溢流させ、噴水管ｐ内に気体層を形成せしめ、この気体層の上昇によって養液タンクｗ液面より上方に噴水させるとともに、この噴水を植物根圏部育成用函体ｅの上部開口部から噴水管ｐの上方に吊るされた植物ｈの根に到達させ、植物ｈを栽培することを特徴とする気体を利用した潅水による植物栽培方法。
【請求項５】
養液タンクｗの上に植物根圏部育成用函体ｅを設け、養液タンクｗ内の下方に潅水器ｔを設置或いは構成したことを特徴とする請求項４記載の気体を利用した潅水による植物栽培方法。
【請求項６】
圧縮空気を利用して養液タンクｗに満たされた水、養液等液体を植物に潅水し、植物を栽培する方法であって、（１）下方に養液の流入口ｉを有する上部密閉容器ｃ、（２）上部密閉容器ｃの上部隔壁ｄに下端が隔壁ｄのやや下方の位置及び上端が養液タンクｗの液面上の位置に開口しほぼ鉛直に設けられた噴水管ｐ、及び（３）密閉容器ｃ内上方に気体を圧入するための通気口ｋ、よりなる潅水器ｔの流入口ｉと水、養液等液体が満たされた養液タンクｗを連通し、上部密閉容器ｃ内上方に気相部ｇを形成し、気相部ｇ内に気体を圧入し、液体の固体に対する付着力及び表面張力を利用して、間欠的かつ一気に気体を噴水管ｐ内に溢流させ、噴水管ｐ内に気体層を形成せしめ、この気体層の上昇によって養液タンクｗ液面より上方に噴水させるとともに、この噴水を孔を有する栽培床ｍに敷き詰められた培養基ｎに定植された植物ｈの根圏に導き、植物ｈを栽培することを特徴とする気体を利用した潅水による植物栽培方法。
【請求項７】
養液タンクｗの上に栽培床ｍを設け、養液タンクｗ内の下方に潅水器ｔを設置或いは構成したことを特徴とする請求項６記載の気体を利用した潅水による植物栽培方法。
【請求項８】
培養基ｎが砂または礫であることを特徴とする請求項６又は請求項７記載の気体を利用した潅水による植物栽培方法。
【請求項９】
養液タンクｗを光透過性材質で構成したことを特徴とする請求項５又は請求項７又は請求項８記載の気体を利用した潅水による植物栽培方法。
【請求項１０】
噴水管ｐの上端又は上端の上方に方向変換装置ｖを設け、噴水を横手方向に導くことを特徴とする請求項１又は請求項２又は請求項３又は請求項４又は請求項５又は請求項６記載又は請求項７又は請求項８又は請求項９記載の気体を利用した潅水による植物栽培方法。
【発明の詳細な説明】
【産業上の利用分野】
【０００１】本発明は、水槽等容器内に満たされた水、養液等液体を潅水し植物を栽培する方法に関するものである。
【背景技術】
【０００２】  従来、植物栽培における水や養液の自動潅水には、多数の細孔を有する潅水チュ−ブ、細孔から水を噴霧するスプリンクラ−、液を滴下する細いチュ−ブなどが用いられている。いずれも細孔を介して液体を送るため、目詰まりが発生する問題点がある。このため懸濁物質を含む水や有機養液は利用できない難点がある。
【発明が解決しようとする課題】
【０００３】本発明はこのような点に鑑みなされたもので、目詰まりが無く、懸濁物質を含む水や養液でも利用できる潅水方法による植物栽培方法を提供するものである。
【問題を解決するための手段】
【０００４】第１に、圧縮空気を利用して養液タンクｗに満たされた水、養液等液体を植物に潅水し、植物を栽培する方法であって、（１）下方に養液の流入口ｉを有する上部密閉容器ｃ、（２）上部密閉容器ｃの上部隔壁ｄに下端が隔壁ｄのやや下方の位置及び上端が養液タンクｗの液面上の位置に開口しほぼ鉛直に設けられた噴水管ｐ、及び（３）密閉容器ｃ内上方に気体を圧入するための通気口ｋ、よりなる潅水器ｔの流入口ｉと水、養液等液体が満たされた養液タンクｗを連通し、上部密閉容器ｃ内上方に気相部ｇを形成し、気相部ｇ内に気体を圧入し、液体の固体に対する付着力及び表面張力を利用して、間欠的かつ一気に気体を噴水管ｐ内に溢流させ、噴水管ｐ内に気体層を形成せしめ、この気体層の上昇によって養液タンクｗ液面より上方に噴水させるとともに、この噴水を培養土ｊに定植された植物ｈの根圏上の培養土ｊに導き、植物ｈを栽培することを特徴とする気体を利用した潅水による植物栽培方法であり、  第２に、圧縮空気を利用して養液タンクｗに満たされた水、養液等液体を植物に潅水し、植物を栽培する方法であって、（１）下方に養液の流入口ｉを有する上部密閉容器ｃ、（２）上部密閉容器ｃの上部隔壁ｄに、下端が隔壁ｄのやや下方の位置及び上端が養液タンクｗの液面上の位置に開口し、ほぼ鉛直に設けられた噴水管ｐ、及び（３）密閉容器ｃ内上方に気体を圧入するための通気口ｋ、よりなる複数の潅水器ｔの流入口ｉと養液タンクｗ内の養液を植物に送るため圃場に配設された送液管ｙを連通し、上部密閉容器ｃ内上方に気相部ｇを形成し、気相部ｇ内に気体を圧入し、液体の固体に対する付着力及び表面張力を利用して、間欠的かつ一気に気体を噴水管ｐ内に溢流させ、噴水管ｐ内に気体層ｊを形成せしめ、この気体層ｊの上昇によって養液タンクｗ液面より上方に噴水させるとともに、この噴水を培養土ｊに定植された植物ｈの根圏上の培養土ｊに導き、植物ｈを栽培することを特徴とする気体を利用した潅水による植物栽培方法であり、  第３に、圧縮空気を利用して養液タンクｗに満たされた水、養液等液体を植物に潅水し、植物を栽培する方法であって、（１）下方に養液の流入口ｉを有する上部密閉容器ｃ、（２）上部密閉容器ｃの上部隔壁ｄに下端が隔壁ｄのやや下方の位置及び上端が養液タンクｗの液面上の位置に開口しほぼ鉛直に設けられた噴水管ｐ、及び（３）密閉容器ｃ内上方に気体を圧入するための通気口ｋ、よりなる潅水器ｔの流入口ｉと水、養液等液体が満たされた養液タンクｗを連通し、上部密閉容器ｃ内上方に気相部ｇを形成し、気相部ｇ内に気体を圧入し、液体の固体に対する付着力及び表面張力を利用して、間欠的かつ一気に気体を噴水管ｐ内に溢流させ、噴水管ｐ内に気体層を形成せしめ、この気体層の上昇によって養液タンクｗ液面より上方に噴水させるとともに、この噴水を植物根圏部育成用函体ｅの上部開口部から噴水管ｐの上方に吊るされた植物ｈの根に到達させ、植物ｈを栽培することを特徴とする気体を利用した潅水による植物栽培方法であり、第４に、圧縮空気を利用して養液タンクｗに満たされた水、養液等液体を植物に潅水し、植物を栽培する方法であって、（１）下方に養液の流入口ｉを有する上部密閉容器ｃ、（２）上��密閉容器ｃの上部隔壁ｄに下端が隔壁ｄのやや下方の位置及び上端が養液タンクｗの液面上の位置に開口しほぼ鉛直に設けられた噴水管ｐ、及び（３）密閉容器ｃ内上方に気体を圧入するための通気口ｋ、よりなる潅水器ｔの流入口ｉと水、養液等液体が満たされた養液タンクｗを連通し、上部密閉容器ｃ内上方に気相部ｇを形成し、気相部ｇ内に気体を圧入し、液体の固体に対する付着力及び表面張力を利用して、間欠的かつ一気に気体を噴水管ｐ内に溢流させ、噴水管ｐ内に気体層を形成せしめ、この気体層の上昇によって養液タンクｗ液面より上方に噴水させるとともに、この噴水を孔を有する栽培床ｍに敷き詰められた培養基ｎに定植された植物ｈの根圏に導き、植物ｈを栽培することを特徴とする気体を利用した潅水による植物栽培方法である。
【実施例と作用】
【０００５】次に、図面により本発明を詳しく説明する。図１は、本発明の装置の一実施態様を示す図面であり、図１は縦断面図である。潅水器ｔは、上部密閉容器ｃ、噴水管ｐ、空気圧入機としてブロワ−ａ、ブロワ−ａと上部密閉容器ｃの通気部ｋを連絡する通気管ｆ、流入口ｉよりなる。噴水管ｐは、上部密閉容器ｃの上部隔壁ｄを貫通し、上部隔壁ｄのやや下方にほぼ水平に開口し、ほぼ鉛直に設けられている。噴水管ｐの上端は養液タンクｗの液面ｓ２より上の位置に開口するよう構成されている。流入口ｉは、噴水管ｐ下端よりも下方に位置する部位に設けられ、送液管ｙを介して養液タンクｗに連絡されている。上部隔壁ｄ、側壁１，液面ｓ１及び噴水管ｐ外壁面により、気相部ｇが形成されている。噴水管ｐ上端には方向変換装置として管２が取り付けられている。  ブロワ−ａを作動させ、通気管ｆを介して、気相部ｇに空気を連続的に圧入すると、液面ｓ１は下降する。その後、液面ｓ１は噴水管Ｐの下端に達しても、液体の固体に対する付着力と表面張力の作用により、さらに下降する。やがて、液体の固体に対する付着力及び表面張力による作用が限界に達すると、気相部ｇの空気が、噴水管ｐ下端の開口部の周囲から一気に噴水管ｐ内に流入し、噴水管ｐ内の水を押し上げながら、噴水管ｐ内に空気層を形成する。同時に噴水管ｐ内に流入した空気に相当する水が送液管ｙより上部密閉容器ｃ内に流入してくる。同時に、空気層は、噴水管ｐ内空気層上方の液の大部分を押し上げ、噴水管ｐ内空気層下方の液を引き上げながら、噴水管ｐ内を上昇し、液と共に噴水管ｐ上端より勢いよく噴出する。  いったん上昇した液面ｓ１は、空気の圧入によりすぐに下降を始め、元に戻る。以後周期的にこの噴出が繰り返される。噴出した養液は管２によって方向が変換され、植物ｈの根元の周囲の培養土ｊ上に潅水される。噴水管ｐは口径が大きいので、養液に微粒子が含まれていても目詰まりがない。ブロワ−ａを停止すると、潅水も停止する。ブロワ−ａをＯＮ／ＯＦＦしながら適度の潅水を行い、植物ｈを栽培する。潅水の自動化も容易である。  養液タンクｗには養液貯留タンク３からポンプ４により管６を介して養液を補給する。余剰養液は返送管５を介して、養液貯留タンク３に戻る。潅水量よりやや多い養液を養液タンクｗに補給すれば、液面ｓ１の位置がほぼ一定となり、一定の速度で潅水できる。  図２は圃場での営農栽培の態様を示した平面図である。植物ｈが栽培されている畝間に送液管ｙを配設し、これに多数の潅水器ｔを連結し、それぞれに通気管ｆ（図示せず。図１参照）を取り付け、ブロワ−ａにより潅水器ｔの気相部ｇ（図示せず。図１参照）に空気を圧入し、養液タンクｗ内の養液を植物ｈに潅水する。  図３は、圃場での営農栽培の別の態様を示した平面図である。送液管ｙの下流端７を養液貯留タンク３に連絡し、養液タンクｗ、送液管ｙ上流端８、送液管下流端７、養液貯留タンク３、管６、養液タンクｗの順で、循環する流れを形成する。沈降性の高い固形物を含む養液を使用する場合、固形物の沈積を防止する効果がある。  図４は、本発明の別の実施例を示す縦断面図である。底が付いた植物根圏部育成用函体ｅ内底部に潅水器ｔを設置し、潅水器ｔによる噴水を植物根圏部育成用函体ｅの上部開口部から噴水管ｐの上方に吊るされた植物ｈの根に到達させ、植物ｈを栽培する点が，前述の実施例と異なる。植物根圏部育成用函体ｅ内底部に落下した養液は、管９を介して養液貯留タンク３に戻る。本発明によれば、養液に固形物が含まれていても、根圏を好気的環境に保つ利点を持つ噴水型水耕栽培が実施できる。  図５は、図４に示した実施例の別の態様を示す平面図である。細長い植物根圏部育成用函体ｅが並置され、その間に送液管ｙを配設し、これと植物根圏部育成用函体ｅ底部に設置された多数の潅水器ｔを連結し、それぞれに通気管ｆ（図示せず。図４参照）を取り付け、ブロワ−ａにより潅水器ｔの気相部ｇ（図示せず。図４参照）に空気を圧入し、養液タンクｗ内の養液を植物ｈの根に潅水する。  図６及び図７は、本発明の別の実施例を示すそれぞれ平面図、縦断面図である。養液タンクｗの上に植物根圏部育成用函体ｅを設け、養液タンクｗの下方に潅水器ｔを設置した点が図４に示した実施例と異なる。養液タンクｗと根圏部育成用函体ｅを一体化して構成するため容器が１つで済み経済的である。また、養液は直接流入口ｉから流入し、潅水器ｔにより噴水される。その後落下した養液は直接養液タンクｗに戻るので、使用する管、容器が減少し、経済的である。  図８は、本発明の別の実施例を示す縦断面図である。透明樹脂等光透過性材質で構成された養液タンクｗの上に植物根圏部育成用函体ｅを設け、養液タンクｗの下方に隔壁ｄを設け、隔壁ｄと養液タンクｗの側壁と底部１２とで上部密閉容器ｃを構成し、流入口ｉに管１３を設け、養液タンクｗと上部密閉容器ｃ下方を連絡し、潅水器ｔを構成した点が図６及び図７に示した実施例と異なる。本実施例では、養液の量が簡単に把握でき、太陽光が入射するので内部の養液や空気が温められ、植物の生育に良いという利点がある。  図６、図７、図８に示した栽培は家庭で簡単に実施することも可能である。  図９は、本発明に用いられる方向変換装置の１つの態様を示す縦断面図である。頂点に穴を有し底面の無い逆円錐状方向変換装置１４が噴水管ｐの上端上方に取り付けてある。この逆円錐状方向変換装置１４によれば、上方及び横手方向に満遍なく養液を潅水できる。  図１０及び図１１は、本発明の別の実施例を示すそれぞれ平面図、縦断面図である。養液タンクｗの上に孔を有する栽培床ｍを設け、養液タンクｗの下方に潅水器ｔを設置し、噴水管ｐを栽培床ｍ上方に開口させ、この開口部に方向変換装置ｖを備える点が図４に示した実施例、図６及び図７に示した実施例と異なる。ブロワ−ａにより潅水器ｔの気相部ｇに空気を圧入し、養液を噴水管ｐを介して上方に噴水させる。噴水は、方向変換装置ｖにより横手方向に飛散し、培養基ｎ上に落下する。これによって、培養基ｎに定植された植物ｈの根に養液が供給される。余剰液は栽培床ｍの孔を介して養液タンクｗに戻る。培養基ｎとしては、透水性の高い材質すなわちモミガラ、オガコ、砂、礫等、又はこれら混合物が適当である。本発明においては、ブロワ−ａを連続的に運転しても、上述のように間欠的に潅水が行なわれるので、養液が溜まることも無く培養基ｎ内根圏は好気的環境に保たれる。培養基ｎとして土を用いることもできるが、透水性が低いため、天候、植物の状態等の条件に応じて、ブロワ−ａの運転をオンオフ制御して潅水量を調節する必要がある。培養基ｎとして前述のような透水性の高い材質を用いれば、この調節操作が不要となり、より経済的である。また、方向変換装置ｖによって広い範囲に潅水できる。本実施例では、透明樹脂等光透過性材質で構成された養液タンクｗを用いている。これによって、養液の量が簡単に把握でき、また太陽光が入射するので内部の養液や空気が温められ、植物の生育に良いという利点がある。非光透過性材質で構成された養液タンクｗを用いることもできることは言うまでもない。  図１２は、本発明の別の実施例を示す縦断面図である。横手方向に長い養液タンクｗの上に孔を有する栽培床ｍを設け、養液タンクｗの下方に潅水器ｔを多数設置し、それぞれの噴水管ｐを栽培床ｍ上方に開口させ、この開口部に方向変換装置ｖを備える点が、図１０及び図１１に示した実施例と異なる。本実施例は、営農栽培に適する。  本発明の潅水器ｔについて、１回の噴出による噴水の量と高さは、上部密閉容器ｃ内気液接触面積の噴水管ｐ断面積に対する比、もぐり水深（噴水管ｐ下方開口部３から液面Ｓ２までの距離）、噴水管ｐ断面積、及び噴水管ｐ長さによって決まる。上部密閉容器ｃ内気液接触面積の噴水管ｐ断面積に対する比が大きいほど、噴水管ｐ内に形成される空気層の高さが増加し、上昇速度が大きくなるので、より高く噴水できる。上部密閉容器ｃ内気液接触面積の噴水管ｐ断面積に対する比は２００〜３００以上が適当である。このように、本発明の装置は、連続的に通気される空気を溜め込み、一気に放出するので、通気量がわずかでも、噴出回数は減少するが、１回の噴水の大きさは、変わらない。わずかな通気量で大きな噴水が得られる。    噴水管ｐ下端の断面は、ほぼ水平にする。これにより、空気が噴水管ｐ内に一様に流入し、効果的に空気層が形成される。噴水管ｐの口径が大きい場合、この水平性が特に要求される。
【実施例１】
【０００６】本発明の実施例を説明する。実験は、図７に示した装置により行なった。上部密閉容器ｃは、３００ｍｍ塩ビパイプを１０ｃｍに切断し、上下に塩ビ板を溶接した。流入口ｉとしては，３０ｍｍの穴を設けた。上部密閉容器ｃ上部隔壁ｄに口径２０ｍｍ塩ビ管を鉛直に挿入接着し、噴水管ｐとした。この装置で、噴水に関する実験を行なった。  もぐり水深１５ｃｍ、水面上噴水管ｐ高さ３５ｃｍ、通気量ほぼ４００〜５００ｍｌ／分で、水面上ほぼ８０ｃｍの高さ、２分〜３分に１回の割合で噴水が行なえた。その後、養豚糞尿廃水でつくった完熟液肥を水で希釈し、これを養液（浮遊物質を含む）とし、トマトを栽培した。５月に定植し、健全に生長した。
【実施例２】
【０００７】本発明の別の実施例を説明する。実験は、図１０及び図１１に示した装置により行なった。透明養液タンクｗ（縦３３ｃｍ、横４４ｃｍ、深さ２４ｃｍ、ポリプロピレン製）底部に、噴水管ｐ（１６Ａ塩ビパイプ）を備えた潅水器ｔ（縦２３ｃｍ、横３３ｃｍ、高さ５ｃｍ、ポリプロピレン製）を固定した。透明養液タンクｗの上部に栽培床ｍ（縦３３ｃｍ、横４７ｃｍ、深さ７．５ｃｍ）を設置し、砂と礫の混合物（軽石５ｍｍ〜１．５ｍｍ、桐生砂を体積比およそ２：１の割合で混合）をおよそ３ｃｍの深さまで充填した。透明養液タンクｗに１９ｃｍの深さまで養液を入れた。この栽培装置３基に対してそれぞれの潅水器ｔ内気相部ｇに、ブロワ−ａ（１．１ｗ）により空気を通気し、１分〜２分に１回の割合で噴水が行なえた。噴水は、方向変換装置ｖの板面に衝突し、横手方向に飛散し、栽培床ｍのほぼ全域に落下した。この装置に植物の苗を定植し栽培を行なった。夜間にはブロワ−ａは停止した。発酵鶏糞、食物残渣に水を加え、数日間熟成させたものを養液として用いた。青シソ、モロヘイヤ、キュウリ、トマト、インゲン、ナス、ニガ瓜が健全に生長した。
【発明の効果】
【０００８】以上のように、本発明は（１）目詰まりの無い潅水器を用いるので、食品残渣、家畜糞尿等の完熟液肥等、固形物（浮遊物質）を含む養液を、ろ過等の処理なしで自動潅水により植物を栽培できる。（２）このため、食品残渣、家畜糞尿の液肥としての利用、有機養液栽培が簡単に行なえ、循環型農業の発展に資する。（３）潅水器は、養液と接触する機械的な部分や運動部分がないので、故障も少なく、メンテナンスが安価にできる。また合成樹脂で潅水器を構成でき、養液による腐蝕がほとんど無く、耐久性に優れる。等の利点を有する。
【図面の簡単な説明】
【０００９】
【図１】は、本発明の装置の一実施態様を示す縦断面図である。
【図２】は平面図である。
【図３】は平面図である。
【図４】は本発明の装置のまた別の一実施態様を示す縦断面図である。
【図５】は平面図である。
【図６】は平面図である。
【図７】は図６の縦断面図である。
【図８】は縦断面図である。
【図９】は縦断面図である。
【図１０】は平面図である。
【図１１】は縦断面図である。
【図１２】は縦断面図である。
【符号の説明】
【００１０】ａはブロワ−，ｃは上部密閉容器、ｇは気相部，ｉは流入口，ｐは噴水管，ｆは通気管、ｋは通気部、ｄは隔壁、ｔは潅水器、ｗは養液タンク、ｙは送液管、ｈは植物、ｊは培養土、ｅは植物根圏部育成用函体、ｍは栽培床、ｎは培養基，ｖは方向変換装置、１は側壁、２は管、３は養液貯留タンク、４はポンプ、５は返送管、６は管、７は送液管ｙ下流端、８は送液管上流端、９は管、１０は養液投入口、１１は弁、１２は養液タンクｗ低部、１３は管、１４は逆円錐状方向変換装置、１５は養液排出管、１６は弁、ｓ１は液面、ｓ２は液面、である。実線矢印は噴水、養液の移動方向を示す。
【図１】
2007000135.tif 000003
【図２】
2007000135.tif 000004
【図３】
2007000135.tif 000005
【図４】
2007000135.tif 000006
【図５】
2007000135.tif 000007
【図６】
2007000135.tif 000008
【図７】
2007000135.tif 000009
【図８】
2007000135.tif 000010
【図９】
2007000135.tif 000011
【図１０】
2007000135.tif 000012
【図１１】
2007000135.tif 000013
【図１２】
2007000135.tif 000014